(57)【要約】      （修正有）【課題】設置面の大きさ、平面形状等に応じた商品陳列面の形成を可能としかつ当該商品陳列面を仕切り板で仕切ることを可能とする商品陳列台を提供する。【解決手段】商品陳列台１０は、共に板状を呈し一方向へ伸びる、商品の載置部１２及び載置部に直交して連なりかつ互いに相対する一対の脚部１４、１６と、仕切り板が通される複数のスリット１８とを含む。複数のスリットは、載置部及び両脚部にこれらの伸長方向へ間隔をおいて設けられ一方の脚部１４から載置部１２を経て他方の脚部１６に伸びている。【選択図】図１
0003207629.tif 000002
【実用新案登録請求の範囲】
【請求項１】
共に板状を呈しかつ一方向へ伸びる、商品の載置部及び該載置部に直交して連なりかつ互いに相対する一対の脚部と、
仕切り板が通される複数のスリットであって前記載置部及び両脚部にこれらの伸長方向へ間隔をおいて設けられ一方の脚部から前記載置部を経て他方の脚部に伸びる複数のスリットとを含む、商品陳列台。
【請求項２】
さらに、両脚部に設けられた連結構造であって両脚部の一方及び他方において互いに相対するように配置される２つの商品陳列台を解除可能に連結する連結構造を含む、請求項１に記載の商品陳列台。
【請求項３】
さらに、前記載置部及び両脚部に設けられた連結構造であって、前記載置部及び両脚部の伸長方向における一端部及び他端部において互いに相対するように配置される前記２つの商品陳列台を解除可能に連結する連結構造を含む、請求項１又は２に記載の商品陳列台。
【請求項４】
２つの商品陳列台であって、
共に板状を呈しかつ一方向へ伸びる、商品の載置部及び該載置部に直交して連なりかつ互いに相対する一対の脚部と、
仕切り板が通される複数のスリットであって前記載置部及び両脚部にこれらの伸長方向へ間隔をおいて設けられ一方の脚部から前記載置部を経て他方の脚部に伸びる複数のスリットとを含み、
両商品陳列台の脚部は互いに異なる高さ寸法を有する、２つの商品陳列台。
【考案の詳細な説明】
【技術分野】
【０００１】
本考案は、店舗内に商品を陳列するために用いられる商品陳列台に関する。
【背景技術】
【０００２】
従来、スーパーマーケット、コンビニエンスストア等の店舗内に設置された棚や冷蔵ケース内に配置され、商品の陳列に供される商品陳列台が提案されている（後記特許文献１参照）。
【０００３】
この商品陳列台は、共に板状を呈しかつ一方向へ伸びる、商品の載置部及び該載置部に直交して連なりかつ互いに相対する２つの脚部を備える。載置部及び一方の脚部には、これらの伸長方向へ間隔をおいて、仕切り板が通される複数のスリットが設けられている。また、各スリットは一方の脚部から商品の載置部へとＬ字形に伸びている。
【０００４】
商品陳列台は前記棚や冷蔵ケースが規定する設置面上に配置され、その両脚部がその載置部を前記設置面の上方に支持する。載置部は商品の陳列面を規定し、商品陳列面は、複数のスリットのいずれかに通される仕切り板により、その伸長方向に関して複数の領域に仕切られる。
【０００５】
ところで、前記設置面の大きさ、平面形状等に応じて、商品陳列台の複数個をこれらのスリットが互いに整列するように並列に配置し、整列されたスリットに仕切り板を通すことにすれば、商品を陳列する上で、前記設置面上の空間をより有効に活用することができると考えられる。
【０００６】
前記従来の商品陳列台にあっては、そのスリットが一方の脚部とその商品の載置部とをＬ字形に伸びている。このことから、整列された複数のスリットはこれらの連なりが各商品陳列台の他の脚部において途切れる。このため、整列された複数のスリットに仕切り板を通すことができない。
【先行技術文献】
【特許文献】
【０００７】
【特許文献１】特開２００６−４３１号公報
【考案の概要】
【考案が解決しようとする課題】
【０００８】
本考案の目的は、前記従来の実情に鑑み、設置面の大きさ、平面形状等に応じた商品陳列面の形成を可能としかつ当該商品陳列面を仕切り板で仕切ることを可能とする商品陳列台を提供することにある。
【課題を解決するための手段】
【０００９】
本考案は商品陳列台に係り、商品陳列台は、共に板状を呈し一方向へ伸びる、商品の載置部及び該載置部に直交して連なりかつ互いに相対する一対の脚部と、仕切り板が通される複数のスリットであって前記載置部及び両脚部に前記一方向すなわちこれらの伸長方向へ間隔をおいて設けられ一方の脚部から前記載置部を経て他方の脚部に伸びる複数のスリットとを含む。
【００１０】
本考案によれば、前記商品陳列台をその設置面上に配置するとき、その両脚部を介して前記設置面の上方に載置部が支持され、前記載置部が商品陳列面を規定する。本考案にあっては、前記スリットが一方の脚部から前記載置部を経て他方の脚部へと伸び、門形又は逆Ｕ字形を呈することから、前記スリットに仕切り板を通し、前記商品陳列面を複数の領域に仕切ることができる。
【００１１】
また、本考案によれば、前記設置面の大きさ、平面形状等に応じて、前記商品陳列台の複数個を、これらの両脚部の一方及び他方において互いに相対するようにまたこれらの複数の商品陳列台のスリットが互いに整列するように並列に配置することができる。このとき、複数のスリットはそれぞれ門形又は逆Ｕ字形を呈することから、これらの整列方向に関して連続する。このことから、整列された前記複数のスリットに仕切り板を通し、複数の商品陳列台の載置部が規定する商品陳列面を複数の領域に仕切ることができる。
【００１２】
前記商品陳列台は、さらに両脚部に設けられた連結構造であって両脚部の一方及び他方において互いに相対するように配置される２つの商品陳列台を解除可能に連結する連結構造を含むものとすることができる。これによれば、２つの商品陳列台を並列に配置するとき、前記連結構造を介して、両商品陳列台を連結された状態におくことができる。
【００１３】
前記商品陳列台は、さらに、前記載置部及び両脚部に設けられた連結構造であって、前記載置部及び両脚部の伸長方向における一端部及び他端部において互いに相対するように配置される前記２つの商品陳列台を解除可能に連結する連結構造を含むものとすることができる。これによれば、２つの商品陳列台を一列配置するとき、前記連結構造を介して、両商品陳列台を連結状態におくことができる。
【００１４】
前記商品陳列台の２つについて、これらの脚部が互いに異なる高さ寸法を有するものとすることができる。これによれば、２つの商品陳列台を並列に配置することにより、段差のあるひな壇状の商品陳列面が形成することができる。
【図面の簡単な説明】
【００１５】
【図１】（ａ）は商品陳列台をその長手方向における一端部の側から見た斜視図を示し、（ｂ）は商品陳列台をその長手方向における他端部の側から見た斜視図を示す。
【図２】仕切り板の一例を示す斜視図である。
【図３】図１に示す商品陳列台と比べて小さい高さ寸法を有する商品陳列台の斜視図である。
【図４】図１に示す商品陳列台と比べて小さい幅寸法を有する商品陳列台の斜視図である。
【図５】図１に示す商品陳列台と比べて小さい高さ寸法及び小さい幅寸法を有する商品陳列台の斜視図である。
【図６】図１に示す商品陳列台と同様の２つの並列に配置された商品陳列台であって、（ａ）はこれらを商品載置部の側から見た斜視図であり、（ｂ）はこれらを底の側から見た斜視図である。
【図７】並列に配置された２つの高さを異にする商品陳列台の斜視図である。
【図８】図１に示す商品陳列台と同様の２つの一列に配置された商品陳列台であって、（ａ）はこれらを商品載置部の側から見た斜視図であり、（ｂ）はこれらを底の側から見た斜視図である。
【考案を実施するための形態】
【００１６】
図１の（ａ）及び（ｂ）を参照すると、本考案の一実施形態に係る商品陳列台が全体に符号１０で示されている。
【００１７】
商品陳列台１０は、商品が載置される載置部１２と、一対の脚部１４、１６とを含む。載置部１２と両脚部１４、１６とは、共に板状を呈しかつ一方向へ伸びている。両脚部１４、１６は載置部１２に直交して連なりかつ互いに相対している。したがって、商品陳列台１０は門形又は逆Ｕ字形の横断面形状を有する。商品陳列台１０はプラスチック製、金属製、木製等のものからなる。
【００１８】
商品陳列台１０は複数のスリット１８を有する。これらのスリット１８は、商品陳列台１０の載置部１２及び両脚部１４、１６にこれらの伸長方向（前記一方向）へ間隔をおいて設けられている。図示の例においては、複数のスリット１８が等間隔に配置されている。但し、図示の例に代えて、複数のスリット１８を不等間隔に配置することが可能である。複数のスリット１８の相互間隔は任意の大きさに定めることができる。
【００１９】
各スリット１８は、商品陳列台１０の一方の脚部１４から載置部１２を経て他方の脚部１６へと伸びている。このため、各スリット１８は商品陳列台１０の横断面形状と同様の形状である門形又は逆Ｕ字形を呈する。また、各スリット１８は仕切り板２０（図２）よりわずかに大きい幅寸法を有する。このことから、各スリット１８に仕切り板２０を通すことができる。スリット１８に通された仕切り板２０はスリット１８の両端（始端及び終端）１８ａ、１８ｂ（図１）において、両脚部１４、１６に支持される（図６（ａ）及び図７参照）。
【００２０】
仕切り板２０は、スリット１８に通されるとき、商品陳列台１０の載置部１２からその上方に突出する上部２２（図２、図６、図７）を有する。仕切り板２０は、その上部２２において、商品陳列台１０の載置部１２及び両脚部１４、１６の伸長方向すなわち商品陳列台１０の伸長方向に関して、載置部１２が規定する商品陳列面を２つの領域に仕切る。
【００２１】
図示の仕切り板２０は、これがスリット１８に通されるとき一方の脚部１４に係止可能である複数の突起２４を有する。互いに隣接する２つの突起２４は、仕切り板２０が商品陳列台１０の両脚部１４、１６の一方又は他方へ向けての移動を制限する作用をなす。図示の仕切り板２０は、また、仕切り板２０が両脚部１４、１６に支持されるとき、商品陳列台が設置される前記棚や冷蔵ケースにおける前記設置面に当接可能である端部２６（図２、図６、図７）を有する。
【００２２】
商品陳列台１０の大きさ、すなわち商品陳列台１０の高さ寸法、その幅寸法（より詳細には両脚部１４、１６の高さ寸法、載置部１２の幅寸法）及びその伸長方向長さはそれぞれ任意に定めることができる。また、複数の商品陳列台１０については、これらが同一の大きさを有するものとし、あるいは、異なる大きさを有するものとすることができる。
【００２３】
ここで、図１、図３〜図５を参照して、大きさを異にする商品陳列台１０の例を示す。ここに示す商品陳列台１０は同一の伸長方向長さを有し、かつ、異なる高さ寸法又は幅寸法を有する。図１に示す商品陳列台１０は、高さ寸法Ｈ及び幅寸法Ｗを有する。図３に示す商品陳列台１０は、図１に示す商品陳列台１０と比べて、これより小さい高さ寸法Ｈ１（Ｈ１＜Ｈ）及びこれと同じ幅寸法Ｗを有する。図４に示す商品陳列台１０は、図１に示す商品陳列台１０と比べてこれと同じ高さ寸法Ｈ及びこれより小さい幅寸法Ｗ１（Ｗ１＜Ｗ）を有する。また、図５に示す商品陳列台１０は、図１に示す商品陳列台１０と比べて、これより小さい高さ寸法Ｈ１及びこれより小さい幅寸法Ｗ１を有する。図示の例において、高さ寸法Ｈ１は高さ寸法Ｈの約半分の大きさである。前記幅寸法については、例えば、Ｗ＝１００ｍｍ及びＷ１＝７５ｍｍとすることができる。なお、これらの商品陳列台１０のいずれにおいても、スリット１８の両端１８ａ、１８ｂは同じ高さ位置にある。
【００２４】
商品陳列台１０は、商品の陳列のために、店舗に置かれる棚や冷蔵ケース内にその１つ又はその複数個が設置される。複数の商品陳列台１０の組み合わせの一例を図６、図７及び図８に示す。
【００２５】
図６に示すところでは、図１に示す商品陳列台１０の２つが並列に配置され、両商品陳列台１０の両脚部１４、１６のうちの一方の脚部１４及び他方の脚部１６が互いに相対し、かつ、両商品陳列台１０の複数のスリット１８が互いに整列している。同一の大きさを有するこれらの２つの商品陳列台１０の載置部１２は、単一の商品陳列台１０の載置部１２と比べて、２倍の大きさの商品陳列面を規定する。
【００２６】
図７に示すところでは、図１に示す１つの商品陳列台１０と図３に示す商品陳列台１０とが並列に配置され、２つの商品陳列台１０の両脚部１４、１６のうちの一方の脚部１４及び他方の脚部１６が互いに相対し、かつ、両商品陳列台１０の複数のスリット１８が互いに整列している。高さ寸法の異なるこれらの２つの商品陳列台１０の載置部１２は、段差のあるすなわちひな壇状の商品陳列面を規定する。
【００２７】
商品陳列台１０の各スリット１８は、前記したように、門形又は逆Ｕ字形を呈する。このことから、図６及び図７に示す並列配置の２つの商品陳列台１０の組み合わせにおいて、互いに整列する複数のスリット１８は、これらの整列方向に関して連続する。このことから、整列された複数のスリット１８に仕切り板２０を通すことができ、これにより、両商品陳列台１０の載置部１２が規定する面積が拡大された商品陳列面（図６）及びひな壇状の商品陳列面（図７）をそれぞれ複数の領域に仕切ることができる。また、図示の例では、両商品陳列台１０の複数のスリット１８の両端１８ａ、１８ｂの高さ位置が同一に設定されていることから、仕切り板２０は両商品陳列台１０の二対の脚部１４、１６において同等に支持される。前記したことは、並列配置される商品陳列台１０が３つ以上の場合についても、また、前記幅寸法を異にする場合についても同様である。
【００２８】
また、図８に示すところでは、図１に示す商品陳列台１０の２つが直列に配置され、両商品陳列台１０の両端部１０ａ、１０ｂのうちの一端部１０ａ及び他端部１０ｂにおいて互いに相対している。図示の例にあっては、一端部１０ａが載置部１２及び両脚部１４、１６に沿って門形又は逆Ｕ字形に伸びる凹所１０ａ１を規定し、また、他端部１０ｂが載置部１２及び両脚部１４、１６に沿って門形又は逆Ｕ字形に伸びる突起１０ｂ１を規定する。２つの商品陳列台１０が直列に配置されるとき、一方の商品陳列台１０の凹所１０ａ１に他方の商品陳列台１０の突起１０ｂ１が受け入れられ、両商品陳列台１０はこれらの一端部１０ａ及び他端部１０ｂにおいて互いに当接する。その結果、直列に配置された２つの商品陳列台１０の載置部１２が連続する全体に細長い商品陳列面を規定する。直列に配置された２以上の商品陳列台１０は、これらを１組として、その複数組を並列にまたスリット１８が互いに整列するように配置することができる。
【００２９】
複数の商品陳列台１０についてこれらを前記したように並列に配置することにより、店舗内の棚や冷蔵ケースにおける前記設置面の大きさ及び平面形状により適合する種々の商品陳列面を形成することができる。
【００３０】
図示の例においては、各商品陳列台１０に、並列に配置された２つの商品陳列台１０を解除可能に連結するための２つの連結構造（２８）と、直列に配置された２つの商品陳列台１０を解除可能に連結するための連結構造（３０）とが設けられている。
【００３１】
２つの連結構造（２８）は、商品陳列台１０の前記長手方向に間隔をおいて配置されている。各連結構造（２８）は、図６に示すように、一方の脚部１４の外側の面に設けられ脚部１４の高さ方向へ伸びるアリ溝２８ａと、他方の脚部１６の外側の面に設けられ脚部１６の高さ方向へ伸びる、アリ溝２８ａに係合可能であるアリ型２８ｂとからなる。ここにおいて、各脚部１４、１６の「外側の面」とは、両脚部１４、１６間に空間を規定する各脚部１４、１６の「内側の面」に相対する面をいう。
【００３２】
アリ溝２８ａ及びアリ型２８ｂの相互係合は、並列に配置される２つの商品陳列台１０のうちの一方の商品陳列台１０を他方の商品陳列台１０の上方位置から前記高さ方向へ移動させることにより行うことができる。連結構造（２８）は、商品陳列台１０の並列方向に関して商品陳列台１０同士が離れないように連結する作用をなす。連結構造（２８）を構成するアリ溝２８ａ及びアリ型２８ｂは、同じ伸長方向長さを有する商品陳列台１０について、前記高さ寸法及び前記幅寸法が同一であるか又は相違するかに拘わらず、同じ高さ位置に設けられる。
【００３３】
また、連結構造（３０）は、図８に示すように、商品陳列台１０の一端部１０ａにおいて両脚部１４、１６の前記内側の面にそれぞれ設けられ両脚部１４、１６の高さ方向へ伸びる２条の凹溝３０ａと、商品陳列台１０の他端部１０ｂの側において両脚部１４、１６の前記外側の面にそれぞれ設けられ両脚部１４、１６の高さ方向へ伸びる、２条の凹溝３０ａに係合可能である２条の突起３０ｂとからなる。
【００３４】
両凹溝３０ａ及び両突起３０ｂの相互係合は、直列に配置される２つの商品陳列台１０のうちの一方の商品陳列台１０を他方の商品陳列台１０の上方位置から前記高さ方向へ移動させることにより行うことができる。連結構造（３０）は、商品陳列台１０の直列方向に関して商品陳列台１０同士が離れないように連結する作用をなす。連結構造（３０）を構成する凹溝３０ａ及び突起３０ｂは、同じ幅寸法を有する商品陳列台１０について、同じ高さ位置に設けられる。
【００３５】
ところで、商品陳列台１０が設置される棚と、該棚の背後に位置する店舗の壁面との間には隙間が存することがある。商品陳列台１０は、通常、その両脚部１４、１６が前記壁面と平行に配置され、このとき、両脚部１４、１６の一方が前記隙間に落ち込むことがある。図示の商品陳列台１０には、前記隙間への両脚部１４、１６の一方の落ち込みを防止するための複数の板状部３２が設けられている。複数の板状部３２は商品陳列台１０の伸長方向へ互いに間隔をおいて配置されている。各板状部３２は、両脚部１４、１６間にあって、商品陳列台１０の横断面内を両脚部１４、１６及び載置部１２に沿って門形又は逆Ｕ字形に伸びている。これによれば、各板状部３２が前記棚上にあって前記隙間上に位置する両脚部１４、１６の一方を前記棚上に支持し、両脚部１４、１６の一方が前記隙間に落ち込むことを防止する働きをなす。
【符号の説明】
【００３６】
１０  商品陳列台
１２  商品の載置部
１４、１６  脚部
１８  スリット
２０  仕切り板
２８  連結構造
３０  連結構造
３２  板状部
【図１】
0003207629.tif 000003
【図２】
0003207629.tif 000004
【図３】
0003207629.tif 000005
【図４】
0003207629.tif 000006
【図５】
0003207629.tif 000007
【図６】
0003207629.tif 000008
【図７】
0003207629.tif 000009
【図８】
0003207629.tif 000010
【手続補正書】
【提出日】平成28年9月20日(2016.9.20)
【手続補正１】
【補正対象書類名】実用新案登録請求の範囲
【補正対象項目名】請求項３
【補正方法】変更
【補正の内容】
【請求項３】
さらに、前記載置部及び両脚部に設けられた連結構造であって、前記載置部及び両脚部の伸長方向における一端部及び他端部において互いに相対するように配置される前記２つの商品陳列台を解除可能に連結する連結構造を含む、請求項２に記載の商品陳列台。
【手続補正２】
【補正対象書類名】明細書
【補正対象項目名】００１３
【補正方法】変更
【補正の内容】
【００１３】
前記商品陳列台は、さらに、前記載置部及び両脚部に設けられた連結構造であって、前記載置部及び両脚部の伸長方向における一端部及び他端部において互いに相対するように配置される前記２つの商品陳列台を解除可能に連結する連結構造を含むものとすることができる。これによれば、２つの商品陳列台を一列に配置するとき、前記連結構造を介して、両商品陳列台を連結状態におくことができる。